(57)【要約】【課題】身近に発生しやすい誤操作や誤使用に対して、対策を施した本体形状とすることにより安全性を保ち、また本体から離れていても空気清浄度が容易に視認され、本体の運搬や清掃が楽にできる使い勝手のよい空気清浄機を提供することを目的とする。【解決手段】本体１の前面上部に操作部２を設け、本体１の背面側に吹出口３と凹形状の取手部４を設け、本体１内に空気清浄フィルタ５と遠心送風機６を有し、本体１の上端部９は前後に傾斜面１１をなす稜線形状となし、上端部９に空気の清浄度を発光色の変化で表示する横長の発光表示部１０を設け、飼い猫などが登り難い外観形状として本体１上部に設けた操作部２が誤操作されるのを防ぎ、使用者が本体１から離れていても、上端部９に設けた発光表示部１０により室内空気の清浄度を容易に知覚できる空気清浄機が提供できる。【選択図】図１
2009034629.tif 000002
【特許請求の範囲】
【請求項１】
本体の前面上部に設けた操作部と、本体の背面側に設けた吹出口および凹形状の取手部と、本体内に設けた空気清浄フィルタおよび遠心送風機を有し、前記本体の上端部は前後に傾斜面をなす稜線形状とするとともに、前記上端部に空気の清浄度を発光色の変化で表示する横長の発光表示部を設けてなる空気清浄機。
【請求項２】
本体の外装となる本体裏ケースの上部に形成した傾斜面と、この傾斜面に設けた吹出口と、この吹出口を開閉する風向ルーバーを有し、この風向ルーバーを閉じたときは、風向ルーバーと前記本体裏ケースとが同一面を形成してなる請求項１記載の空気清浄機。
【請求項３】
本体内の後部に取手部を設け、この取手部に対応して本体裏ケースに開口面と開閉可能な開閉蓋を設け、この開閉蓋は開くときは前記取手部の内側に回動し、前記開閉蓋を閉じたときは、この開閉蓋と前記本体裏側ケースとが同一面を形成してなる請求項１または２記載の空気清浄機。
【請求項４】
本体裏ケースの上部を傾斜面または曲面で形成し、本体裏ケースの中央部および下部を垂直面で形成し、前記傾斜面または曲面と前記垂直面との境界線付近に取手部の下端位置を合わせて、前記傾斜面または曲面に前記取手部を形成してなる請求項１または３記載の空気清浄機。
【請求項５】
本体内に空気清浄フィルタに通風する遠心送風機を設け、前記遠心送風機はモータ、ファンおよびケーシングを備え、このケーシングの表面に形成した風路枠と、この風路枠に連結して設けた前記モータの支持枠と、前記風路枠に連結される取手部を有し、この取手部を本体裏ケースに設けた開口部に対応して配置してなる請求項１または３記載の空気清浄機。
【請求項６】
開口部に設けた開閉蓋が内側に回動するとき、この開閉蓋の一方の先端部が当接する第１当接部を取手部に設け、前記開閉蓋がさらに回動するとき、前記開閉蓋の他方の先端部が当接する第２当接部をケーシングに設けた請求項５記載の空気清浄機。
【請求項７】
取手部を風路枠に一体的に連結する取手支持枠を設け、風路枠に連結される取手支持枠は、風路枠と取手部間の空気漏れを防止する構成とした請求項５記載の空気清浄機。
【請求項８】
取手部の下方に近接して、ケーシングに受けリブを形成し、この受けリブと嵌合する嵌合リブを本体裏ケースに形成してなる請求項５記載の空気清浄機。
【請求項９】
取手部を形成する側壁の外面に平行な複数の横リブを立設することにより、この横リブの裏側に形成される成型ヒケによる凹凸面を設け、この凹凸面は前記側壁の内面に形成される滑り止めとなる請求項１または５記載の空気清浄機。
【発明の詳細な説明】
【技術分野】
【０００１】
本発明は、室内空気を清浄化する空気清浄機に関する。
【背景技術】
【０００２】
従来、この種の空気清浄機は本体の前面上部に操作部を備え、本体の背面側に吹出口を備えたものが知られている（例えば、特許文献１参照）。
【０００３】
以下、その空気清浄機について図８を参照して説明する。
【０００４】
図に示すように、本体１０１の外郭をなす本体ケース１０１ａは前面上部に操作部１０２と表示部１０３を備え、操作部１０２の操作に応じた空気清浄運転を行ない、表示部１０３にて空気清浄度などを表示するものである。
【０００５】
また、操作部１０２および表示部１０３は平面をなす天面１０１ｂ上に設けられているので、使用者が上から指先で押して操作するときに、目視確認しながら確実に操作できるものである。
【０００６】
また、吹出口１０４に格子状の固定ルーバー１０５を設けることにより、吹出風の整流効果を高めるとともに、手指や大きな異物が挿入されないように安全性を保つ構造としている。
【０００７】
また、空気清浄機の本体ケース１０１ａの表面は清浄前の空気が通過するため、汚れが付着しやすく、使用者が必要に応じて本体ケース１０１ａの表面を拭き掃除することにより、外観を清潔に保つことができるものである。
【０００８】
また、取手部１０６は本体ケース１０１ａの背面側に一体的に成型加工され、持ちやすい位置に配置されている。
【特許文献１】特開２００７−２９７９２号公報
【発明の開示】
【発明が解決しようとする課題】
【０００９】
このような従来の空気清浄機では、本体を運転しているときに、表示装置の大きさや配置の関係で離れた場所から室内の清浄度合いが容易に確認できず、また飼い猫などの小動物が本体の上部に乗ることができるので、そのとき操作部が誤操作されることがあり、さらに吹出口や取手部から本体内に液体や異物が浸入したときに本体の可動部や電装部に損傷を与える畏れがあり、また本体ケースの表面は清浄前の空気が通過するため、汚れが付着しやすいが、吹出口や取手部などの汚れやすい部分は清掃し難く、また本体ケースに一体的に設けられた取手部に過大な負荷が掛かると破損しやすく、運搬などが不便になるという課題があり、身近に発生しやすい誤操作や誤使用に対して、対策を施した本体形状とすることにより安全性を保つとともに、本体の運転に応じて変化する室内の空気清浄度が容易に視認でき、かつ本体の運搬や清掃が楽にできる使い勝手のよい空気清浄機を提供することが要求されている。
【００１０】
本発明は、このような従来の課題を解決するものであり、身近に発生しやすい誤操作や誤使用に対して、対策を施した本体構造とすることにより安全性を保ち、また本体から離れていても空気清浄度が容易に視認され、本体の運搬や清掃が楽にできる使い勝手のよい空気清浄機を提供することを目的とする。
【課題を解決するための手段】
【００１１】
本発明の空気清浄機は、上記目的を達成するために、本体の前面上部に設けた操作部と、本体の背面側に設けた吹出口および凹形状の取手部と、本体内に設けた空気清浄フィルタおよび遠心送風機を有し、前記本体の上端部は前後に傾斜面をなす稜線形状とするとともに、前記上端部に空気の清浄度を発光色の変化で表示する横長の発光表示部を設けてなるものである。
【００１２】
また、他の手段は、本体の外装となる本体裏ケースの上部に形成した傾斜面と、この傾斜面に設けた吹出口と、この吹出口を開閉する風向ルーバーを有し、この風向ルーバーを閉じたときは、風向ルーバーと前記本体裏ケースとが同一面を形成してなるものである。
【００１３】
また、他の手段は、本体内の後部に取手部を設け、この取手部に対応して本体裏ケースに開口部と開閉可能な開閉蓋を設け、この開閉蓋は開くときは前記取手部の内側に回動し、前記開閉蓋を閉じたときは、この開閉蓋と前記本体裏側ケースとが同一面を形成してなるものである。
【００１４】
また、他の手段は、本体裏ケースの上部を傾斜面または曲面で形成し、本体裏ケースの中央部および下部を垂直面で形成し、前記傾斜面または曲面と前記垂直面との境界線付近に取手部の下端位置を合わせて、前記傾斜面または曲面に前記取手部を形成してなるものである。
【００１５】
また、他の手段は、本体内に空気清浄フィルタに通風する遠心送風機を設け、前記遠心送風機はモータ、ファンおよびケーシングを備え、このケーシングの表面に形成した風路枠と、この風路枠に連結して設けた前記モータの支持枠部と、前記風路枠に連結される取手部を有し、この取手部を本体裏ケースに設けた開口部に対応して配置してなるものである。
【００１６】
また、他の手段は、取手部を風路枠に連結する取手支持枠を設け、開口部に設けた開閉蓋が内側に回動するとき、この開閉蓋の一方の先端部が当接する第１当接部を取手部に設け、前記開閉蓋がさらに回動するとき、前記開閉蓋の他方の先端部が当接する第２当接部をケーシングに設けたものである。
【００１７】
また、他の手段は、風路枠に連結される取手支持枠は、風路枠と取手部を一体的に連結するとともに、風路枠と取手部間の空気漏れを防止する構成としたものである。
【００１８】
また、他の手段は、取手部の下方に近接して、ケーシングに受けリブを形成し、この受けリブと嵌合する嵌合リブを本体裏ケースに形成してなるものである。
【００１９】
また、他の手段は、取手部を形成する側壁の外面に平行な複数の横リブを立設することにより、この横リブの裏側に形成される成型ヒケによる凹凸部を設け、この凹凸部は前記側壁の内面に形成される滑り止めとなるものである。
【００２０】
これにより、身近に発生しやすい誤操作や誤使用に対して、対策を施した本体構造とすることにより安全性を保ち、また本体から離れていても空気清浄度が容易に視認され、本体の運搬や清掃が楽にできる使い勝手のよい空気清浄機が得られる。
【発明の効果】
【００２１】
本発明によれば、本体に飼い猫などの小動物が乗れないようにして、本体上部に設けた操作部が誤操作されるのを防ぐことができ、使用者が本体から離れていても、本体の上端部に設けた発光表示部により室内空気の清浄度を容易に知覚することができるという効果のある空気清浄機を提供することができる。
【００２２】
また、運転停止中に吹出口より水などの液体や異物が入れられることを防ぐことができ、風向ルーバーが本体裏ケースの開閉蓋と同一面をなして閉じているため清掃し易く、衛生的に使用することができる。
【００２３】
また、開閉蓋が本体裏ケースと同一面を形成して取手部を閉じるので、水などの液体や細い棒などが取手部から本体内に侵入できないものとなり、本体裏面に埃が溜まり難く、清掃し易いので衛生的に使用することができる。
【００２４】
また、開閉蓋に本体重量の負荷が加わることはなく、開閉蓋を簡易な構造として安価に製造することができる。
【００２５】
また、本体裏面を室内のインテリアに相応した違和感のないデザインとすることができる。
【００２６】
また、本体裏ケースの上方から見て容易に取手部の位置を確認して、指先を取手部に差し入れ易くするとともに、手のひらが接触するときの感触を和らげて、持ちやすくできる。
【００２７】
また、本体ケースなどの外装部品にひずみや変形を生じることなく、エアリークを起こさないので空気清浄機能を維持することができ、取手部がぐらつくこともなく安定した持ち運びができ、安全に取り扱いができる。
【００２８】
また、開閉蓋に大きな力が加わったときに、押し込み防止ができるとともに、開閉蓋が破損しないように衝撃を和らげることができる。
【００２９】
また、取手支持枠が風路枠と取手部を一体的に連結することにより、取手部の強度を向上して変形やぐらつきなどを防ぎ、エアリークを防止して密閉性を保つことができる。
【００３０】
また、受けリブと嵌合リブの嵌合により、通風路が密閉性を高めて形成され、取手部からのエアリークを防止するとともに、組み立て時の位置決めとして、組立作業性を向上することができる。
【００３１】
また、取手部から異物を挿入された場合でも、受けリブと嵌合リブの存在により、本体内へ異物の侵入を防止できる。
【００３２】
また、取手部の側壁の外面の横リブが強度を高め、成型ひけによる凹凸部が滑り止めとなり、手指が滑りにくく安全に使用できる取手部が得られるという効果のある空気清浄機を提供することができる。
【発明を実施するための最良の形態】
【００３３】
本発明の請求項１記載の空気清浄機は、本体の前面上部に設けた操作部と、本体の背面側に設けた吹出口および凹形状の取手部と、本体内に設けた空気清浄フィルタおよび遠心送風機を有し、前記本体の上端部は前後に傾斜面をなす稜線形状とするとともに、前記上端部に空気の清浄度を発光色の変化で表示する横長の発光表示部を設けてなるものであり、本体の上端部は前後に傾斜面をなす稜線形状としているので、本体の上端部に不要な物を置けないようにして、吹出口からの吹出気流を遮蔽しないようにできるとともに、猫などの小動物が乗らないようにして、操作部が誤操作されるのを未然に防ぐことができ、また上端部の稜線形状に対応して横長の発光表示部を設けているので、空気の清浄度に応じて、発光表示部が複数の発光色の１つを点灯することにより、使用者が本体から離れていても、室内空気の清浄度を容易に知覚することができるという作用を有する。
【００３４】
また、本体の外装となる本体裏ケースの上部に形成した傾斜面と、この傾斜面に設けた吹出口と、この吹出口を開閉する風向ルーバーを有し、この風向ルーバーを閉じたときは、風向ルーバーと前記本体裏ケースとが同一面を形成するものであり、運転停止時などの風向ルーバーを使用しないときは、風向ルーバーが吹出口を閉じることにより、本体裏側の表面と同一面を形成するので、お茶などの液体が上方から浸入するのを防ぐとともに、運転停止中に吹出口より異物が入れられることを防ぐことができ、風向ルーバーの先端は稜線形状をなす本体の上端部に沿う略直線形状に形成され、風向ルーバーを開放したときは、吹出口の吹出開口部を大きく開いて大風量の清浄な気流を所定方向に案内するとともに、風向ルーバーを閉じたときは、吹出口の上方を蓋するように確実に閉鎖して、液体や異物の侵入を阻止することができ、さらに、お手入れ時に本体裏面を清掃するときも、風向ルーバーが本体裏ケースの開閉蓋と同一面をなして閉じているため清掃し易く、衛生的に使用することができるという作用を有する。
【００３５】
また、本体内の後部に取手部を設け、この取手部に対応して本体裏ケースに開口部と開閉可能な開閉蓋を設け、この開閉蓋は開くときは前記取手部の内側に回動し、前記開閉蓋を閉じたときは、この開閉蓋と前記本体裏側ケースとが同一面を形成してなるものであり、取手部を使用しないときは、取手部に対応した開口部を閉じるように開閉蓋が回動して本体裏側の表面と同一面になるので、水などの液体が上方から本体裏ケースを伝って流下しても、開閉蓋が本体裏ケースと同一面を形成して取手部を閉じているので、液体であっても取手部には侵入できないものとなり、また、お手入れ時に本体裏面を清掃するときも、本体裏ケースと同一面であるため、埃が溜まり難く、かつ清掃し易いので衛生的に使用することができ、さらに凹形状の取手部を開閉蓋で覆うことで、外部から取手部内へホコリや異物などの侵入を防ぐことができ、さらに取手部を使用するときは、開閉蓋を押し開けて指先を取手部に差し入れるだけで、簡単に操作することができ、開閉蓋の支点を取手部の下端に対応する位置に設けているので、取手部を使用するときに開閉蓋に本体重量の負荷が加わることはなく、開閉蓋を簡易な構造とすることができるという作用を有する。
【００３６】
また、本体裏ケースの上部を傾斜面または曲面で形成し、本体裏ケースの中央部および下部を垂直面で形成し、前記傾斜面または曲面と前記垂直面との境界線付近に取手部の下端位置を合わせて、前記傾斜面または曲面に前記取手部を形成したものであり、本体裏ケースの傾斜面または曲面に取手部を設けることにより、本体裏ケースの上方から見て容易に取手部の位置を確認して、指先を取手部に差し入れ易くすることができるとともに、取手部の上部側にも傾斜面または曲面を形成することにより、手のひらが接触するときの感触を和らげて持ちやすくでき、また本体上部から水がかかった時、水が本体裏ケースの傾斜面または曲面から垂直面を伝わり、滞留なく下方に流れ落ち、取手部や吹出口へ液体などの侵入を防ぐことができるという作用を有する。
【００３７】
また、本体内に空気清浄フィルタに通風する遠心送風機を設け、前記遠心送風機はモータ、ファンおよびケーシングを備え、このケーシングの表面に形成した風路枠と、この風路枠に連結して設けた前記モータの支持枠部と、前記風路枠に連結される取手部を有し、この取手部を本体裏ケースに設けた開口部に対応して配置したものであり、重量大なるモータを保持しているケーシングに形成した風路枠に取手部を連結して設けることにより、本体の重量を持ち上げるときに、取手部に直接手を入れて持ち上げると、取手部を介して加わる力は、堅牢に形成された風路枠やケーシングに伝わることになり、風路枠やケーシングを囲うように付設する本体ケースにはほとんど負荷がかからず、本体ケースなどの外装部品にひずみや変形を生じることなく、エアリークを起こさないので空気清浄機能を維持することができ、また取手部がぐらつくこともなく安定した持ち運びができ、安全に取り扱いができるという作用を有する。
【００３８】
また、開口部に設けた開閉蓋が内側に回動するとき、この開閉蓋の一方の先端部が当接する第１当接部を取手部に設け、前記開閉蓋がさらに回動するとき、前記開閉蓋の他方の先端部が当接する第２当接部をケーシングに設けたものであり、取手部に手先を差し入れるとき、開閉蓋が大きく回動したときに開閉蓋の一方の先端部が第１当接部に軽く当接することにより、開閉蓋がそれ以上回動しないように押し込み防止を図っているが、開閉蓋にそれ以上の大きな力が加わったときは、開閉蓋がさらに内側にわずかに回動して、他方の先端部がケーシングに設けた第２当接部に当接して、それ以上の回動を阻止する構成とすることにより、開閉蓋に大きな力が加わったときに２段階に設けた当接部の働きにより、確実に押し込み防止ができるとともに、開閉蓋が破損しないように衝撃を和らげることができるという作用を有する。
【００３９】
また、取手部を風路枠に一体的に連結する取手支持枠を設け、風路枠に連結される取手支持枠は、風路枠と取手部間の空気漏れを防止する構成としたものであり、取手支持枠が風路枠と取手部を一体的に連結することにより、堅牢に形成された風路枠に取手部を固定することができ、取手部の強度を向上して変形やぐらつきなどを防ぐことができるとともに、風路枠と取手部の間に取手支持枠が介在するので、高圧側の風路枠から低圧側の取手部へと流通しようとするエアリークを防止して密閉性を保つことができるという作用を有する。
【００４０】
また、取手部の下方に近接して、ケーシングに受けリブを形成し、この受けリブと嵌合する嵌合リブを本体裏ケースに形成したものであり、ケーシングに形成した受けリブと本体裏ケースに形成した嵌合リブを嵌合させることにより、通風路が密閉性を高めて形成されるので、取手部からのエアリークを防止するとともに、本体裏ケースをケーシングに重ねて組み立てるときの、本体裏ケースとケーシングの位置決めの役目を行ない、組立作業性を向上することができる。さらに取手部から異物を挿入された場合でも、嵌合する受けリブと嵌合リブの存在により、本体内へ異物が侵入するのを防止することができるという作用を有する。
【００４１】
また、取手部を形成する側壁の外面に平行な複数の横リブを立設することにより、この横リブの裏側に形成される成型ヒケによる凹凸部を設け、この凹凸部は前記側壁の内面に形成される滑り止めとしたものであり、取手部の側壁の外面に平行な複数の横リブを立設することにより、取手部の側壁の強度を高めるとともに、取手部の側壁の内面に成型ひけによる凹凸部が形成されるので、取手部に差し込まれた手指が引っ掛かり易い滑り止めの機能を発揮することになり、側壁の強度を保つとともに手指が滑りにくく安全に使用できる取手部を得ることができるという作用を有する。
【００４２】
以下、本発明の実施の形態について、図面を参照しながら説明する。
【００４３】
（実施の形態１）
図１〜図８に示すように、本体１の前面上部に操作部２を設け、本体１の背面側に吹出口３および凹形状の取手部４を設け、本体１内に空気清浄フィルタ５および遠心送風機６を有している。本体１は前後を本体表ケース７と本体裏ケース８からなる外装部品で覆われ、本体１の上端部９は前後に傾斜面１１をなす稜線形状とするとともに、上端部９に空気の清浄度を複数の発光色の変化で表示する横長の発光表示部１０を設けている。
【００４４】
本体裏ケース８の上部に約４５度下向きの傾斜面１１を形成し、この傾斜面１１の内側に吹出口３と吹出風路１２を設け、傾斜面１１には吹出口３に連通する吹出開口部１３と、この吹出開口部１３を開閉する風向ルーバー１４を設け、風向ルーバー１４が閉じたときは、風向ルーバー１４と本体裏ケース８とが同一面を形成するようになっている。
【００４５】
また、本体１内に空気清浄フィルタ５に通風するための遠心送風機６を設け、遠心送風機６はモータ１５、ファン１６およびケーシング１７を備えている。ケーシング１７の表面には風路枠１８を形成し、風路枠１８に連結して設けたモータ支持枠１９と、風路枠１８に連結される取手部４を有している。取手部４に対応して本体裏ケース８に開口部２０および開閉可能な開閉蓋２１を配置し、開閉蓋２１は取手部４の内側に回動して開くとともに、開閉蓋２１を閉じたときは、この開閉蓋２１と本体裏ケース８とが同一面を形成するようになっている。
【００４６】
本体裏ケース８の上部は傾斜面１１から曲面８ａに繋がり、中央部および下部までは垂直面８ｂとなり、上部から下部まで一様に繋がる外観形状をなし、本体裏ケース８上部の曲面８ａと垂直面８ｂとの境界線付近に取手部４の下端位置に合わせて取手部４が配置されている。ここで開口部２０に設けた開閉蓋２１が内側に回動するとき、この開閉蓋２１の一方の先端部２１ａが当接する第１当接部２３を取手部４に設け、開閉蓋２１がさらに回動するとき、開閉蓋２１の他方の先端部２１ｂが当接する第２当接部２４をケーシング１７に設けている。
【００４７】
また、取手部４と風路枠１８とを一体的に連結する取手支持枠２２を設け、風路枠１８に連結される取手支持枠２２は、風路枠１８と取手部４間の空気漏れを防止するよう本体裏ケース８に密接する高さに形成されている。
【００４８】
また、取手部４の下方に近接して、ケーシング１７に受けリブ２５を形成し、この受けリブ２５と嵌合する嵌合リブ２６を本体裏ケース８に形成している。
【００４９】
また、取手部４を形成する側壁４ａの外面に平行な複数の横リブ２７を立設することにより、この横リブ２７の裏側に形成される成型ヒケによる凹凸面２８を設け、この凹凸面２８は側壁４ａの内面に形成される滑り止めとなる構成としている。
【００５０】
上記構成により、本体１の上端部９は前後に傾斜面１１をなす稜線形状としているので、本体１の上端部９に不要な物を置けないようにして、吹出口３からの吹出気流を遮蔽しないようにできるとともに、飼い猫などの小動物が乗らないようにして、操作部２が誤操作されるのを未然に防ぐことができる。
【００５１】
また、上端部９の稜線形状に対応して横長の発光表示部１０を設けているので、空気の清浄度に応じて、発光表示部１０が複数の発光色の１つまたは複数を点灯することにより、使用者が本体１から離れていても、室内空気の清浄度を容易に知覚することができる。例えば、室内空気が清浄なときは発光表示部１０が青色に点灯し、室内空気が少し汚れているときは発光表示部１０が青色と赤色の混合色に点灯し、室内空気が汚れているときは発光表示部１０が赤色に点灯することにより、使用者は室内空気の清浄度を容易に知覚することができ、空気清浄機の運転操作を変更するなどの対応を行なうことができる。
【００５２】
なお本実施の形態における発光表示部１０は、透明な合成樹脂製の横長薄板の透光体１０ａと、この透光体１０ａの下部に配置した複数の赤色ＬＥＤ１０ｂ、青色ＬＥＤ１０ｃからなる。本体１の上端部９は防水構造を備え、透光体１０ａは本体１の上端部９に設けた溝部９ａに着脱可能に嵌入されている。複数の赤色ＬＥＤ１０ｂと青色ＬＥＤ１０ｃは操作部２の基板上に載置され、本体１の上端部９に設けた溝部９ａを透過して透明な透光体１０ａに向けて発光している。したがって使用者は透光体１０ａの色変化により室内空気の清浄度を容易に知覚することができ、使用者が本体１から離れていても、本体１の上端部９に設けた発光表示部１０により室内空気の清浄度を容易に知覚することができる。
【００５３】
また、運転停止時などの風向ルーバー１４を使用しないときは、風向ルーバー１４が吹出口３を閉じることにより、本体１裏側の表面と同一面を形成するので、お茶などの液体が上方から浸入するのを防ぐとともに、運転停止中に吹出口３より異物が入れられることを防ぐことができる。風向ルーバー１４の先端は稜線形状をなす本体１の上端部９に沿う略直線形状に形成され、風向ルーバー１４を開放したときは、吹出口３の吹出開口部１３を大きく開いて大風量の清浄な気流を所定方向に案内するとともに、風向ルーバー１４を閉じたときは、吹出口３の上方を蓋するように確実に閉鎖して、液体や異物の侵入を阻止することができる。
【００５４】
また、お手入れ時に本体１裏面を清掃するときも、風向ルーバー１４が本体裏ケース８の開閉蓋２１と同一面をなして閉じているため清掃し易く、衛生的に使用することができ、さらに、本体１背面側を室内のインテリアに相応した違和感のないデザインとすることができる。
【００５５】
このように、水などの液体が上方から侵入するのを防ぐとともに、運転停止中に吹出口３より異物が入れられることを防ぐことができる。風向ルーバー１４が本体裏ケース８の開閉蓋２１と同一面をなして閉じているため清掃し易く、衛生的に使用することができる。
【００５６】
また、取手部４を使用しないときは、取手部４に対応した開口部２０を閉じるように開閉蓋２１が回動して本体１裏側の表面と同一面になるので、水などの液体が上方から本体裏ケース８を伝って流下しても、開閉蓋２１が本体裏ケース８と同一面を形成して取手部４を閉じているので、液体であっても取手部４には侵入できないものとなる。また、お手入れ時に本体１裏面を清掃するときも、本体裏ケース８と同一面であるため、埃が溜まり難く、かつ清掃し易いので衛生的に使用することができる。また凹形状の取手部４の開口部２０を開閉蓋２１で覆うことで、外部から取手部４内へホコリなどの侵入を防ぐとともに、本体１裏面を室内のインテリアに相応した違和感のないデザインとすることができる。
【００５７】
また、取手部４を使用するときは、開閉蓋２１を押し開けて指先を取手部４に差し入れるだけで、簡単に操作することができ、開閉蓋２１の支点を取手部４の下端に対応する位置に設けているので、取手部４を使用するときに開閉蓋２１に本体重量の負荷が加わることはなく、開閉蓋２１を簡易な構造として安価に製造することができる。
【００５８】
また、本体裏ケース８の傾斜面１１または曲面８ａに取手部４を設けることにより、本体裏ケース８の上方から見て容易に取手部４の位置を確認して、指先を取手部４に差し入れ易くすることができるとともに、取手部４の上部側にも傾斜面１１または曲面８ａを形成することにより、手のひらが接触するときの感触を和らげて、持ちやすくできる。また、本体１上部から水がかかった時、水が本体裏ケース８の傾斜面１１または曲面８ａから垂直面８ｂを伝わり、滞留なく下方に流れ落ち、取手部４や吹出口３へ液体などの侵入を防ぐことができる。
【００５９】
また、重量大なるモータ１５を保持しているケーシング１７に形成した風路枠１８に取手部４を連結して設けることにより、本体１の重量を持ち上げるときに、取手部４に直接手を入れて持ち上げると、取手部４を介して加わる力は、堅牢に形成された風路枠１８やケーシング１７に伝わることになり、風路枠１８やケーシング１７を囲うように付設する本体ケースにはほとんど負荷がかからず、本体ケースなどの外装部品にひずみや変形を生じることなく、エアリークを起こさないので空気清浄機能を維持することができ、また取手部４がぐらつくこともなく安定した持ち運びができ、安全に取り扱いができるという効果が得られる。このように、本体ケースなどの外装部品にひずみや変形を生じることなく、エアリークを起こさないので空気清浄機能を維持することができる。取手部４がぐらつくこともなく安定した持ち運びができ、安全に取り扱いができる。
【００６０】
また、取手部４に手先を差し入れるとき、開閉蓋２１が大きく回動したときに開閉蓋２１の一方の先端部２１ａが第１当接部２３に軽く当接することにより、開閉蓋２１がそれ以上回動しないように押し込み防止を図っているが、開閉蓋２１にそれ以上の大きな力が加わったときは、開閉蓋２１がさらに内側にわずかに回動して、他方の先端部がケーシング１７に設けた第２当接部２４に当接して、それ以上の回動を阻止する構成とすることにより、開閉蓋２１に大きな力が加わったときに２段階に設けた当接部の働きにより、確実に押し込み防止ができるとともに、開閉蓋２１が破損しないように衝撃を和らげることができる。
【００６１】
また、取手支持枠２２が風路枠１８と取手部４を一体的に連結することにより、堅牢に形成された風路枠１８に取手部４を固定することができ、取手部４の強度を向上して変形やぐらつきなどを防ぐことができるとともに、風路枠１８と取手部４の間に取手支持枠２２が介在するので、高圧側の風路枠１８から低圧側の取手部４へと流通しようとするエアリークを防止して密閉性を保つことができる。
【００６２】
また、ケーシング１７に形成した受けリブ２５と本体裏ケース８に形成した嵌合リブ２６を嵌合させることにより、通風路が密閉性を高めて形成されるので、取手部４からのエアリークを防止するとともに、本体裏ケース８をケーシング１７に重ねて組み立てるときの、本体裏ケース８とケーシング１７の位置決めの役目を行ない、組立作業性を向上することができる。さらに取手部４から異物を挿入された場合でも、嵌合する受けリブ２５と嵌合リブ２６の存在により、本体１内へ異物が侵入するのを防止することができる。
【００６３】
また、取手部４の側壁４ａの外面に平行な複数の横リブ２７を立設することにより、取手部４の側壁４ａの強度を高めるとともに、取手部４の側壁４ａの内面に成型ヒケによる凹凸面２８が形成されるので、取手部４に差し込まれた手指が引っ掛かり易く、滑り止めの機能を発揮することになり、側壁４ａの強度を保つとともに手指が滑りにくく安全に使用することができる。
【産業上の利用可能性】
【００６４】
床面に設置される本体の前面上部に操作部、背面側に吹出口および取手部を設け、本体の上端部は前後に傾斜面をなす稜線形状とすることにより、操作部が誤操作されるのを防ぎ、取手部などに本体ケースと同一面で開閉する蓋機能を取り付けることにより、運搬や清掃の使い勝手を向上する扇風機、温風機、加湿機、除湿機などの空調送風機器の用途にも適用できる。
【図面の簡単な説明】
【００６５】
【図１】本発明の実施の形態１の空気清浄機の断面を示す概略断面図
【図２】本発明の実施の形態１の空気清浄機の上端部と風向ルーバーを示す図（（イ）開放状態を示す概略拡大断面図、（ロ）閉鎖状態を示す概略拡大断面図）
【図３】本発明の実施の形態１の空気清浄機の取手部に設けた開閉蓋を示す図（（イ）閉鎖状態を示す概略拡大断面図、（ロ）開放状態を示す概略拡大断面図）
【図４】本発明の実施の形態１の空気清浄機の取手部の当接状態を示す図（（イ）取手部と第１当接部の当接状態を示す概略拡大断面図、（ロ）取手部と第２当接部の当接状態を示す概略拡大断面図）
【図５】同、空気清浄機の背面側の本体裏ケースを外した状態を示す外観斜視図
【図６】同、空気清浄機の本体裏ケースの内面を示す外観斜視図
【図７】同、空気清浄機の取手部の概略拡大断面図
【図８】従来の空気清浄機の断面図
【符号の説明】
【００６６】
１    本体
２    操作部
３    吹出口
４    取手部
４ａ  側壁
５    空気清浄フィルタ
６    遠心送風機
８    本体裏ケース
８ａ  曲面
８ｂ  垂直面
９    上端部
１０  発光表示部
１１  傾斜面
１４  風向ルーバー
１５  モータ
１６  ファン
１７  ケーシング
１８  風路枠
１９  モータ支持枠
２０  開口部
２１  開閉蓋
２２  取手支持枠
２３  第１当接部
２４  第２当接部
２５  受けリブ
２６  嵌合リブ
２７  横リブ
２８  凹凸面
【図１】
2009034629.tif 000003
【図２】
2009034629.tif 000004
【図３】
2009034629.tif 000005
【図４】
2009034629.tif 000006
【図５】
2009034629.tif 000007
【図６】
2009034629.tif 000008
【図７】
2009034629.tif 000009
【図８】
2009034629.tif 000010